(57)【特許請求の範囲】
【請求項１】
他の通信装置から受信したコミュニケーションに関する情報を外部に接続された表示装置に表示させる通信装置であって、
前記コミュニケーションを開始するための着信を検知する着信検知部と、
前記表示装置に前記コミュニケーションに関する情報を表示させるために画像を出力する画像出力部と、
前記着信の検知に応じて、前記画像出力部による画像の出力のための通信経路とは異なる通信のセッションを介して前記表示装置の表示機能を制御し、前記表示装置が前記画像出力部に接続されていない場合、前記着信の検知に応じて、前記表示装置の前記通信装置への接続を確立するための制御情報を前記表示装置へ送信する制御部と、
を有し、
前記制御部によって前記表示装置の表示機能を制御することで前記コミュニケーションに関する情報を前記表示装置へ表示させる通信装置。
【請求項２】
前記制御部は、
前記着信の検知に応じて、前記表示装置の表示に関する機能を有効にさせるための制御情報を前記表示装置へ送信する請求項１に記載の通信装置。
【請求項３】
前記コミュニケーションに関する情報は、
前記着信を受けたことを示す情報を含む請求項１又は２に記載の通信装置。
【請求項４】
前記コミュニケーションに関する情報は、
前記着信の発信元の情報を含む請求項１乃至３のいずれか一項に記載の通信装置。
【請求項５】
前記コミュニケーションに関する情報は、
前記着信の発信元から送信された画像の少なくとも一部を含む請求項１乃至４のいずれか一項に記載の通信装置。
【請求項６】
請求項１乃至５のいずれか一項に記載の通信装置と、
前記通信装置に接続される表示装置と、
を含む通信システムであって、
前記表示装置は、
前記通信装置から出力された画像を受信する画像入力部と、
前記通信装置から前記表示装置の表示機能を制御する制御命令を受信する制御命令受信部と、
前記制御命令受信部によって受信された制御命令を実行する制御命令実行部と、
を有することを特徴とする通信システム。
【請求項７】
他の通信装置から受信したコミュニケーションに関する情報を表示装置に表示させる通信システムであって、
前記コミュニケーションを開始するための着信を検知する着信検知部と、
前記表示装置に前記コミュニケーションに関する情報を表示させるために画像を出力する画像出力部と、
前記着信の検知に応じて、前記画像出力部による画像出力のための通信経路とは異なる通信のセッションを介して前記表示装置の表示機能を制御し、前記表示装置が前記画像出力部に接続されていない場合、前記着信の検知に応じて、前記表示装置の前記通信装置への接続を確立するための制御情報を前記表示装置へ送信する制御部と、
を有し、
前記制御部によって前記表示装置の表示機能を制御することで前記コミュニケーションに関する情報を前記表示装置へ表示させる通信システム。
【請求項８】
他の通信装置から受信したコミュニケーションに関する情報を外部に接続された表示装置に表示させる通信装置の制御方法であって、
前記通信装置が、
前記コミュニケーションを開始するための着信を検知する検知ステップと、
前記着信の検知に応じて、前記表示装置に前記コミュニケーションに関する情報を表示させるために画像を出力する画像出力部による画像の出力のための通信経路とは異なる通信のセッションを介して前記表示装置の表示機能を制御する制御ステップと、
前記表示装置が前記画像出力部に接続されていない場合、前記着信の検知に応じて、前記表示装置の前記通信装置への接続を確立するための制御情報を前記表示装置へ送信するステップと、
を実行し、
前記制御ステップによって前記表示装置の機能を制御することで前記コミュニケーションに関する情報を前記表示装置へ表示させる通信装置の制御方法。
【請求項９】
請求項８に記載の制御方法をコンピュータに実行させるためのプログラム。
【発明の詳細な説明】
【技術分野】
【０００１】
本発明は、通信装置、通信システム、通信装置の制御方法、及びプログラムに関する。
【背景技術】
【０００２】
会議の画像を外部に接続された表示装置に表示させる会議装置が知られている（例えば、特許文献１参照）。
【０００３】
また、会議通話中にスピーカフォン制御インタフェース又はそのリモコンを用いて、スピーカフォン、テレビ会議設備、部屋制御装置、及び他の接続された装置を制御する会議システムが知られている（例えば、特許文献２参照）。
【発明の概要】
【発明が解決しようとする課題】
【０００４】
特許文献１に開示された会議装置によれば、会議の規模等に応じて、例えば、プロジェクタや、ディスプレイ等の様々な外付けの表示装置に会議の画像を表示させることができる。
【０００５】
一方、このような外付けの表示装置は、着信を受けた際に例えば表示機能が停止しているようなユーザの操作がなければ表示機能が有効にならない場合等がある。そのため、利用者は、会議装置が着信を受けたときに、発信元の情報を表示装置に表示させるために、電源をオンにする等の煩わしい操作が必要であった。
【０００６】
また、特許文献２に開示された技術は、利用者がテレビ会議に係る様々な設備を制御することを容易にするものであり、上記の問題点を解決するものではない。
【０００７】
このように、従来の技術では、例えば会議において会議に関する画像を外部に接続された表示装置に表示させる会議装置が、着信を受けた際に例えば外部の表示装置の表示機能が停止しているような、表示機能を有効にするためにユーザの操作が必要な場合に、ユーザの手間をかけずにコミュニケーション相手の情報（例えば発信元の情報）を外部の表示装置に表示させることには困難を伴っていた。このような課題は会議の用途のみならずネットワークを介してユーザ間でコミュニケーションを行うための通信装置に共通に存在する。
【０００８】
本発明の実施の形態は、上記問題点に鑑みてなされたものであって、他の通信装置から受信したコミュニケーションに関する情報を外部に接続された表示装置に表示させる通信装置において、着信を受けた場合に、表示装置の表示機能が有効でない場合であってもコミュニケーションに関する情報（例えば発信元の情報）を表示装置に表示させることを容易にする通信装置を提供することを目的とする。
【課題を解決するための手段】
【０００９】
上記課題を解決するため、本発明の一実施形態に係る通信装置は、他の通信装置から受信したコミュニケーションに関する情報を外部に接続された表示装置に表示させる通信装置であって、前記コミュニケーションを開始するための着信を検知する着信検知部と、前記表示装置に前記コミュニケーションに関する情報を表示させるために画像を出力する画像出力部と、前記着信の検知に応じて、前記画像出力部による画像の出力のための通信経路とは異なる通信のセッションを介して前記表示装置の表示機能を制御し、前記表示装置が前記画像出力部に接続されていない場合、前記着信の検知に応じて、前記表示装置の前記通信装置への接続を確立するための制御情報を前記表示装置へ送信する制御部と、を有し、前記制御部によって前記表示装置の表示機能を制御することで前記コミュニケーションに関する情報を前記表示装置へ表示させる。
【発明の効果】
【００１０】
本発明の実施の形態によれば、他の通信装置から受信したコミュニケーションに関する情報を外部に接続された表示装置に表示させる通信装置において、着信を受けた場合に、表示装置の表示機能が有効でない場合であってもコミュニケーションに関する情報を表示装置に表示させることを容易にする通信装置を提供することができる。
【図面の簡単な説明】
【００１１】
【図１】一実施形態に係る伝送システムの概略図である。
【図２】一実施形態に係る会議装置の接続例を示す図である。
【図３】一実施形態に係る会議装置の外観図である。
【図４】一実施形態に係る会議装置のハードウェア構成図である。
【図５】一実施形態に係るプロジェクタのハードウェア構成図である。
【図６】一実施形態に係る管理システムのハードウェア構成図である。
【図７】一実施形態に係る伝送システムの機能構成図である。
【図８】一実施形態に係る管理システムが管理する管理テーブルの概念図（１）である。
【図９】一実施形態に係る管理システムが管理する管理テーブルの概念図（２）である。
【図１０】第１の実施形態に係る会議装置の処理の例を示すフローチャートである。
【図１１】第１の実施形態に係る会議装置と表示装置との間の処理の例を示すシーケンスズである。
【図１２】第１の実施形態に係る会議装置の処理の応用例を示すフローチャートである。
【図１３】第２の実施形態に係る会議装置の処理の例を示すフローチャートである。
【図１４】第２の実施形態に係る表示装置の表示画面の例を示す図である。
【図１５】第３の実施形態に係る会議装置の処理の例を示すフローチャートである。
【図１６】第３の実施形態に係る表示装置の表示画面の例を示す図である。
【図１７】第３の実施形態に係る伝送システムの発信元情報の取得処理の例を示す図である。
【図１８】第４の実施形態に係る着信処理の例を示す図である。
【図１９】第４の実施形態に係る表示装置の通信中の表示画面の例を示す図である。
【発明を実施するための形態】
【００１２】
以下に、本発明の実施の形態について、添付の図面を参照して説明する。
【００１３】
＜システムの構成＞
図１は、一実施形態に係る伝送システムの概略図である。なお、伝送システムは、会議システムの一例である。
【００１４】
伝送システムには、伝送管理システムを介して一方の伝送端末から他方の伝送端末に一方向でコンテンツデータを伝送するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムである。コミュニケーションシステムの例としては、テレビ会議システムやテレビ電話システム等が挙げられる。
【００１５】
本実施形態では、コミュニケーションシステムの一例としてのテレビ会議システム、コミュニケーション管理システムの一例としてのテレビ会議管理システム、及びコミュニケーション端末の一例としてのテレビ会議装置を想定する。また、その上で、伝送システム、伝送管理システム、及び会議装置について説明する。即ち、本発明の会議装置及び伝送管理システムは、テレビ会議システムに適用されるだけでなく、コミュニケーションシステム、又は伝送システムにも適用される。
【００１６】
まず、図１に示されている伝送システム１は、複数の会議装置（１０ａａ，１０ａｂ，…）、各会議装置（１０ａａ，１０ａｂ，…）用の表示装置（１２０ａａ，１２０ａｂ，…）、複数の中継装置（３０ａ，３０ｂ，３０ｃ，３０ｄ）、伝送管理システム５０、プログラム提供システム９０、及びメンテナンスシステム１００等を含む。また、複数の会議装置（１０ａａ，１０ａｂ，…）は、コンテンツデータの一例としての画像データ及び音データの送受信による伝送を行う。
【００１７】
なお、以下の説明の中で、「伝送管理システム」を単に「管理システム」として表す。また、複数の会議装置（１０ａａ，１０ａｂ，…）のうち任意の会議装置を「会議装置１０」と表す。さらに、複数の表示装置（１２０ａａ，１２０ａｂ，…）のうち任意の表示装置を「表示装置１２０」と表し、複数の中継装置（３０ａ，３０ｂ，３０ｃ，３０ｄ）のうち任意の中継装置は「中継装置３０」と表す。さらにまた、テレビ会議の開始を要求する要求元としての会議装置を「要求元端末」と表し、要求先である宛先（中継先）としての会議装置は「宛先端末」と表す。
【００１８】
図１に示されている中継装置３０は、複数の会議装置１０の間で、コンテンツデータの中継を行う。管理システム５０は、会議装置１０からのログイン認証、会議装置１０の通話状況の管理、宛先リストの管理等、及び中継装置３０の通信状況等を一元的に管理する。なお、画像データの画像は、動画であっても静止画であってもよく、動画と静止画の両方であっても良い。
【００１９】
複数のルータ（７０ａ，７０ｂ，７０ｃ，７０ｄ，７０ａｂ，７０ｃｄ）は、画像データ及び音データの最適な経路の選択を行う。なお、以下では、ルータ（７０ａ，７０ｂ，７０ｃ，７０ｄ，７０ａｂ，７０ｃｄ）のうち任意のルータは「ルータ７０」と表されている。
【００２０】
プログラム提供システム９０は、後述のＨＤ(Hard Disk)２０４を備えており、会議装置１０に各種機能を実現させる（又は、会議装置１０を各種手段として機能させる）ための会議装置用プログラムが記憶されている。また、プログラム提供システム９０は、会議装置１０に端末用プログラムを送信することができる。
【００２１】
また、プログラム提供システム９０のＨＤ２０４には、中継装置３０に各種機能を実現させる（又は、中継装置３０を各種手段として機能させる）ための中継装置用プログラムも記憶されており、中継装置３０に、中継装置用プログラムを送信することができる。さらに、プログラム提供システム９０のＨＤ２０４には、管理システム５０に各種機能を実現させる（又は、管理システム５０を各種手段として機能させる）ための伝送管理用プログラムも記憶されている。また、プログラム提供システム９０は、管理システム５０に伝送管理用プログラムを送信することができる。
【００２２】
メンテナンスシステム１００は、会議装置１０、中継装置３０、管理システム５０、及びプログラム提供システム９０のうちの少なくとも１つの維持、管理、又は保守を行うためのコンピュータである。例えば、メンテナンスシステム１００が国内に設置され、会議装置１０、中継装置３０、管理システム５０、又はプログラム提供システム９０が国外に設置されているものとする。この場合、メンテナンスシステム１００は、通信ネットワーク２を介して遠隔的に、会議装置１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、会議装置１０、中継装置３０、管理システム５０、及びプログラム提供システム９０等の、機種番号、製造番号、販売先、保守点検、又は故障履歴の管理等のメンテナンスを行う。
【００２３】
ところで、会議装置（１０ａａ，１０ａｂ，１０ａｃ，・・・）、中継装置３０ａ、及びルータ７０ａは、ＬＡＮ２ａによって通信可能に接続されている。端末（１０ｂａ，１０ｂｂ，１０ｂｃ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されている。また、地域Ｂは中国であり、ＬＡＮ２ｂは中国の事業所内で構築されている。
【００２４】
一方、会議装置（１０ｃａ，１０ｃｂ，１０ｃｃ，・・・）、中継装置３０ｃ、及びルータ７０ｃは、ＬＡＮ２ｃによって通信可能に接続されている。会議装置（１０ｄａ，１０ｄｂ，１０ｄｃ，・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｃはアメリカ合衆国であり、ＬＡＮ２ｃはアメリカの事業所内で構築されている。また、地域Ｄは欧州であり、ＬＡＮ２ｄは欧州の事業所内で構築されている。それぞれのルータ（７０ａ，７０ｂ，７０ｃ，７０ｄ）は、インターネット２ｉを介して通信可能に接続されている。
【００２５】
また、管理システム５０、及びプログラム提供システム９０は、インターネット２ｉを介して、会議装置１０、及び中継装置３０と通信可能に接続されている。管理システム５０、及びプログラム提供システム９０は、地域Ａ、地域Ｂ、地域Ｃ、又は地域Ｄに設置されていても良いし、これら以外の地域に設置されていても良い。
【００２６】
なお、本実施形態では、ＬＡＮ２ａ、ＬＡＮ２ｂ、インターネット２ｉ、ＬＡＮ２ｃ、及びＬＡＮ２ｄが、本実施形態の通信ネットワーク２に含まれる。この通信ネットワーク２には、有線だけでなく、ＷｉＦｉ（登録商標）（Wireless Fidelity）や、Ｂｌｕｅｔｏｏｔｈ（登録商標）等の無線による通信が行われる箇所があっても良い。
【００２７】
また、図１において、各会議装置１０、各中継装置３０、管理システム５０、各ルータ７０、及びプログラム提供システム９０の下に示されている４組の数字は、一般的なＩＰｖ４におけるＩＰアドレスを簡易的に示している。例えば、会議装置１０ａａのＩＰアドレスは「１．２．１．３」である。また、ＩＰｖ４ではなく、ＩＰｖ６を用いても良いが、説明を簡略化するため、ＩＰｖ４を用いて説明する。
【００２８】
なお、各会議装置１０は、複数の事業所間での通話や、同じ事業所内の異なる部屋間での通話だけでなく、同じ部屋内での通話や、屋外と屋内又は屋外と屋外での通話で使われても良い。各会議装置１０が屋外で使われる場合には、例えば、携帯電話通信網や、公衆無線ＬＡＮ等の公衆無線通信が用いられる。
【００２９】
図２は、一実施形態に係る会議装置の接続例を示す図である。
【００３０】
本実施形態に係る会議装置１０は、会議の画像を外部に接続された表示装置１２０に表示させることを想定している。図２の例では、会議装置１０は、画像伝送用のケーブル１２０ｃで、表示装置１２０に接続されている。
【００３１】
また、本実施形態に係る会議装置１０と表示装置１２０は、画像伝送用のケーブル１２０ｃとは異なる通信手段により、互いにデータの送受信が可能である。図２の例では、会議装置１０及び表示装置１２０は、例えば、有線／無線ＬＡＮインタフェースにより、ＬＡＮに接続されている。このＬＡＮは、例えば、ＭＰＬＳ（Multi Protocol Label Switching）を用いて構築された閉域ネットワークや、同一のルータ７０に接続されたネットワークを想定している。
【００３２】
表示装置１２０は、例えば、所定の操作により、自装置のＩＰアドレスを表示画面に表示することができる。会議装置１０の利用者は、例えば、この表示されたＩＰアドレスを会議装置１０に入力することにより、会議装置１０と表示装置１２０との間でデータの送受信が行えるようになる。
【００３３】
なお、図２の構成は一例であり、会議装置１０と表示装置１２０との間の通信方式は、例えば、Ｂｌｕｅｔｏｏｔｈ（登録商標）、Ｗｉ-Ｆｉダイレクト（登録商標）等の無線通信による他の通信方式であっても良い。或いは、会議装置１０と表示装置１２０との間の通信方式は、有線ＬＡＮケーブルや、ＵＳＢ(Universal Serial Bus)ケーブル等の有線通信による他の通信方式であっても良い。
【００３４】
上記の構成により、会議装置１０と表示装置１２０は、画像伝送用のケーブル１２０ｃが接続されていなくても、互いに通信が可能である。
【００３５】
＜ハードウェア構成＞
次に、本実施形態のハードウェア構成を説明する。
【００３６】
（会議装置の外観）
図３は、一実施形態に係る会議装置１０の外観図である。図３に示されているように、会議装置１０は、筐体１１００、アーム１２００、及びカメラハウジング１３００を備えている。このうち、筐体１１００の前側壁面１１１０には、複数の吸気孔によって形成された吸気面が設けられており、筐体１１００の後側壁面１１２０には、複数の排気孔が形成された排気面１１２１が設けられている。これにより、筐体１１００に内蔵された冷却ファンの駆動によって、筐体１１００の前側壁面１１１０に設けられた吸気面を介して会議装置１０の前方の外気を取り込み、排気面１１２１を介して会議装置１０の後方へ排気することができる。筐体１１００の右側壁面１１３０には、収音用孔１１３１が形成され、後述する内蔵型のマイク１１４によって音、物音、雑音、鼓動等の音が収音可能となっている。
【００３７】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及びアラームランプが設けられている。また、この操作パネル１１５０には、後述の内蔵型のスピーカ１１５からの出力音を通すための複数の音出力孔によって形成された音出面１１５１が形成されている。
【００３８】
また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述のディスプレイＩ／Ｆ１１７に対して電気的に画像伝送用のケーブル１２０ｃを接続するための接続口が設けられている。
【００３９】
なお、以下の説明の中で、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いる。
【００４０】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図３は、チルト角θ１が９０度の状態を示している。カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。カメラハウジング１３００は、トルクヒンジ１３１０を介してアーム１２００に取り付けられている。また、カメラハウジング１３００は、カメラハウジング１３００がアーム１２００に対して、図４で示されている状態を０度として±１８０度のパン角θ２の範囲で、且つ、±４５度のチルト角θ３の範囲で、上下左右方向に回転可能に構成されている。
【００４１】
なお、上記図３の外観図はあくまで一例であってこの外観に限定するものではない。会議装置１０は例えば汎用的なＰＣ、スマートフォン、タブレット型端末、であっても良い。カメラやマイクは必ずしも内蔵型である必要はなく外付けであっても良い。
【００４２】
また、図３の例では、表示装置１２０の一例として、プロジェクタが図示されている。
また、管理システム５０は、それぞれ一般のサーバコンピュータの外観と同じであるため、外観の説明を省略する。
【００４３】
（会議装置のハードウェア構成）
図４は、一実施形態に係る会議装置１０のハードウェア構成図である。会議装置１０は、一般的なコンピュータの構成を含み、例えば、ＣＰＵ(Central Processing Unit)１０１、ＲＯＭ(Read Only Memory)１０２、ＲＡＭ(Random Access Memory)１０３、フラッシュメモリ１０４、及びＳＳＤ（Solid State Drive）１０５を有する。また、会議装置１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音入出力Ｉ／Ｆ１１６を有する。さらに、会議装置１０は、ディスプレイＩ／Ｆ１１７、外部機器Ｉ／Ｆ１１８、通信Ｉ／Ｆ１１９、及びバス１１０等を有する。
【００４４】
ＣＰＵ１０１は、例えば、ＲＯＭ１０２や、フラッシュメモリ１０４等からプログラムやデータを読出し、処理を実行することで、会議装置１０が備える各機能を実現する演算装置である。ＲＯＭ１０２は、ＩＰＬ(Initial Program Loader)等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００４５】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００４６】
操作ボタン１０８は、会議装置１０の利用者の入力操作を受付ける入力装置である。電源スイッチ１０９は、会議装置１０の電源のオン／オフを切り替えるためのスイッチである。ネットワークＩ／Ｆ１１１は、通信ネットワーク２を利用してデータ伝送をするための通信インタフェースである。
【００４７】
カメラ１１２は、ＣＰＵ１０１の制御に従って被写体を撮像するための撮像素子を含む。撮像素子Ｉ／Ｆ１１３は、カメラ１１２による撮像を制御すると共に、撮像したデータを所定の画像データに変換する。マイク１１４は、収音した音声を電気信号に変換する。スピーカ１１５は、音声信号を音声に変換して出力する。音入出力Ｉ／Ｆ１１６は、マイク１１４及びスピーカ１１５による音声の入出力を制御する。
【００４８】
ディスプレイＩ／Ｆ１１７は、ＣＰＵ１０１の制御に従って、外付けの表示装置１２０に画像データを伝送する。外部機器Ｉ／Ｆ１１８は、各種の外部機器を接続するためのインタフェースである。通信Ｉ／Ｆ１１９、例えば、Ｂｌｕｔｏｏｔｈ等の近距離無線通信や、Ｗｉ-Ｆｉダイレクト等の無線ＬＡＮ通信、又は無線ＰＡＮ（Personal Area Network）等、ネットワークＩ／Ｆ部１１１とは異なる通信インタフェースである。バス１１０は、上記の各構成に共通に接続され、アドレス信号、データ信号、及び各種の制御信号等を伝達する。
【００４９】
表示装置１２０は、被写体の画像や操作用アイコン等を表示する液晶や有機ＥＬ等によって構成された表示部である。また、表示装置１２０は、画像伝送用のケーブル１２０ｃによってディスプレイＩ／Ｆ１１７に接続される。この画像伝送用のケーブル１２０ｃは、アナログＲＧＢ（ＶＧＡ）信号用のケーブルであっても良いし、コンポーネントビデオ用のケーブルであっても良い。また、画像伝送用のケーブル１２０ｃは、ＨＤＭＩ（登録商標）(High-Definition Multimedia Interface)や、ＤＶＩ(Digital Video Interactive)信号用のケーブル等であっても良い。
【００５０】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００５１】
外部機器接続Ｉ／Ｆ１１８には、ＵＳＢケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００５２】
なお、記録メディア１０６は、例えば、各種のメモリカードや、ＳＩＭ（Subscriber Identity Module）カード等の記憶媒体である。記録メディア１０６は、会議装置１０に対して着脱自在な構成となっている。
【００５３】
さらに、上記の会議装置１０用のプログラムは、インストール可能な形式又は実行可能な形式のファイルで、上記記録メディア１０６等の、コンピュータで読み取り可能な記録媒体に記録して流通させるようにしても良い。また、上記の会議装置１０用のプログラムは、例えば、フラッシュメモリ１０４に記憶させるものであっても良いし、或いは、ＲＯＭ１０２に予め記憶したもの等であっても良い。
【００５４】
（表示装置のハードウェア構成）
ここでは、表示装置１２０の一例として、プロジェクタ５００のハードウェア構成について説明する。
【００５５】
図５は、一実施形態に係るプロジェクタのハードウェア構成図である。
【００５６】
プロジェクタ５００は、図５に示すように、ＣＰＵ５０１、ＲＯＭ５０２、ＲＡＭ５０３、操作部５０４、電源回路５０５、通信Ｉ／Ｆ５０６、外部入力Ｉ／Ｆ５０７、冷却ファン５０８、ファン駆動回路５０９、ＬＥＤ（Light Emitting Diode）駆動回路５１０、ＬＥＤ光源５１１、投写デバイス５１２、及び投写レンズ５１３等を有する。
【００５７】
ＣＰＵ５０１は、ＲＯＭ５０２に記憶されたプログラムを実行することにより、プロジェクタ５００の各機能を実現する演算装置である。ＲＯＭ５０２は、プロジェクタ５００のプログラム等を記憶する不揮発性のメモリであり、例えば、フラッシュＲＯＭ等によって構成される。ＲＡＭ５０３は、ＣＰＵ５０１のワークエリア等として利用される揮発性のメモリである。操作部５０４は、利用者の入力操作を受付ける入力装置である。
【００５８】
電源回路５０５は、プロジェクタ５００の各部に電力を供給する電力供給装置である。本実施形態に係るプロジェクタ５００の電源回路５０５は、プロジェクタ５００の電源スイッチがオフされても、ＣＰＵ５０１及び通信Ｉ／Ｆ５０６への電力の供給を行う。
【００５９】
通信Ｉ／Ｆ５０６は、会議装置１０と通信を行うインタフェースであり、例えば、無線／有線ＬＡＮ等のネットワークインタフェース、又は会議装置１０の通信Ｉ／Ｆ１１９と通信可能な無線／有線等の通信インタフェースを含む。
【００６０】
通信Ｉ／Ｆ５０６は、プロジェクタ５００の電源がオフの場合でも、電源回路５０５から電力の供給を受けており、会議装置１０との間で制御指示等の送受信を行うことができる。また、通信Ｉ／Ｆ５０６は、会議装置１０から受信した制御指示等を、ＣＰＵ５０１に通知する。
【００６１】
外部入力Ｉ／Ｆ５０７は、画像伝送用のケーブル１２０ｃを介して、プロジェクタ５００を会議装置１０に接続するためのインタフェースである。プロジェクタ５００は、外部入力Ｉ／Ｆ５０７から入力された画像、映像等を投影面に投影することができる。
【００６２】
冷却ファン５０８は、回転することで、プロジェクタ５００内部の空気を排気して、プロジェクタ５００の内部を冷却する。ファン駆動回路５０９は、ＣＰＵ５０１及び冷却ファン５０８に接続されており、ＣＰＵ５０１からの制御信号に基づいて、冷却ファン５０８の駆動／停止を行う。
【００６３】
ＬＥＤ駆動回路５１０は、ＣＰＵ５０１の制御に従って、ＬＥＤ光源５１１の点灯／消灯を制御する。ＬＥＤ光源５１１は、ＬＥＤ駆動回路５１０からの制御し従って投写光を投写デバイス５１２に照射する。
【００６４】
投写デバイス５１２は、ＣＰＵ５０１から与えられる画像データに基づいて空間光変調方式により、ＬＥＤ光源５１１からの投写光を変調して、変調光を、投写レンズ５１３を通して、スクリーンの投写面に画像を投写（投影）する。投写デバイス５１２としては、例えば、液晶パネル又はＤＭＤ（Digital Micromirror Device）等が用いられる。上記ＬＥＤ駆動回路５１０、ＬＥＤ光源５１１、投写デバイス５１２及び投写レンズ５１３は、全体として、画像データに基づいて投写面に投写画像を投写する投写部として機能している。
【００６５】
なお、図５に示すプロジェクタ５００は、表示装置１２０の一例である。表示装置１２０は、例えば、ディスプレイ、電子黒板、サイネージ等のプロジェクタ５００以外の表示装置であっても良い。
【００６６】
（管理システムのハードウェア構成）
図６は、一実施形態に係る管理システムのハードウェア構成図である。管理システム５０は、一般的なコンピュータのハードウェア構成を有しており、例えば、ＣＰＵ２０１、ＲＯＭ２０２、ＲＡＭ２０３、ＨＤ２０４、ＨＤＤ２０５、メディアドライブ２０７、及びディスプレイ２０８を有する。また、管理システム５０は、ネットワークＩ／Ｆ２０９、キーボード２１１、マウス２１２、光学ドライブ２１４、及びバス２１０等を有する。
【００６７】
ＣＰＵ２０１は、例えば、ＲＯＭ２０２、ＨＤ２０４等に格納されたプログラムやデータを読出し、処理を実行することにより、管理システム５０が備える各機能を実現する演算装置である。ＲＯＭ２０２は、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００６８】
ＨＤ２０４は、例えば、ＯＳや、アプリケーションプログラム等のプログラムや、各種のデータを記憶するストレージ装置である。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００６９】
ネットワークＩ／Ｆ２０９は、通信ネットワーク２を利用してデータ通信を行うための通信インタフェースである。キーボード２１１は、利用者による文字、数値、各種指示などの入力操作を受付けるための入力装置の一例である。マウス２１２は、利用者による各種指示の選択や実行、処理対象の選択、カーソルの移動等の操作を受付けるポインティングデバイスの一例である。
【００７０】
メディアドライブ２０７は、例えば、メモリカード等の記録メディア２０６に対するデータの読み出しや、書き込み（記憶）を制御する。光学ドライブ２１４は、着脱可能な記録媒体の一例としての各種の光学ディスク２１３に対するデータの読み出し又は書き込みを制御する。バス２１０は、上記の各構成要素を電気的に接続し、アドレス信号、データ信号、及び各種の制御信号等を伝達する。
【００７１】
なお、上記のコンピュータのハードウェア構成はあくまで一例である。例えば、ディスプレイ２０８、キーボード２１１、マウス２１２等は、管理システム５０の外部に外付けされているものであっても良い。
【００７２】
なお、上記の管理システム５０用のプログラムは、インストール可能な形式又は実行可能な形式のファイルで、上記記録メディア２０６や光学ディスク２１３等のコンピュータで読み取り可能な記録媒体に記録して流通させるようにしても良い。また、上記の管理システム５０用のプログラムは、ＨＤ２０４に記憶するものであっても良いし、予めＲＯＭ２０２に記憶されたもの等であっても良い。
【００７３】
また、中継装置３０は、上記管理システム５０と同様のハードウェア構成を有しているため、その説明を省略する。但し、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６や光学ディスク２１３等のコンピュータで読み取り可能な記録媒体に記録して流通させるようにしても良い。また、上記の中継装置３０用のプログラムは、ＨＤ２０４に記憶するものであっても良いし、予めＲＯＭ２０２に記憶されたもの等であっても良い。
【００７４】
また、プログラム提供システム９０及びメンテナンスシステム１００は、上記管理システム５０と同様のハードウェア構成を有しているため、その説明を省略する。但し、ＨＤ２０４には、プログラム提供システム９０を制御するためのプログラム提供システム９０用のプログラムが記録されている。この場合も、プログラム提供システム９０用のプログラムは、インストール可能な形式又は実行可能な形式のファイルで、上記記録メディア２０６や光学ディスク２１３等のコンピュータで読み取り可能な記録媒体に記録して流通させるようにしても良い。また、上記のプログラム提供システム９０用のプログラムは、ＨＤ２０４に記憶するものであっても良いし、予めＲＯＭ２０２に記憶されたもの等であっても良い。
【００７５】
＜機能構成＞
図７は、一実施形態に係る伝送システムの機能構成図である。図７において、伝送システム１は、通信ネットワーク２に接続された管理システム５０、中継装置３０、複数の会議装置１０、及び会議装置１０にそれぞれ接続された表示装置１２０を含む。なお、図７では、図１に示した伝送システム１のうち、２つの会議装置１０の間で通信（会議）を行うために必要な構成を図示している。なお、伝送システム１は通信システムの一例であり、会議装置１０は通信装置の一例である。
【００７６】
（会議装置の機能構成）
会議装置１０は、送受信部７０１、通信制御部７０２、画像出力部７０３、遠隔制御部７０４、音声出力部７０５、音声入力部７０６、撮像部７０７、表示制御部７０８、及び操作入力受付部７０９等を有している。これら各部は、図４に示されている各構成要素のいずれかが、フラッシュメモリ１０４からＲＡＭ１０３上に展開された会議装置用プログラムに従ったＣＰＵ１０１からの命令によって動作することで実現される機能、又は機能する手段である。また、会議装置１０は、図４に示されているＲＡＭ１０３、及び図４に示されているフラッシュメモリ１０４によって実現される記憶部１０００を有している。
【００７７】
送受信部７０１は、図４に示されているＣＰＵ１０１からの命令、及び図４に示されているネットワークＩ／Ｆ１１１によって実現され、通信ネットワーク２を介して他の装置又はシステムと各種データの送受信を行う。
【００７８】
通信制御部７０２は、図４に示されているＣＰＵ１０１からの命令によって実現される。通信制御部７０２は、例えば、会議装置１０の電源がオンや、利用者による所定の操作等を契機として、送受信部７０１から通信ネットワーク２を介して管理システム５０に、ログインを要求する旨を示すログイン要求情報、及び要求元端末の現時点のＩＰアドレスを送信する。また、利用者が会議装置１０の電源のオフ操作を行うと、送受信部７０１を介して管理システム５０へ電源をオフする旨の状態情報を送信した後に、操作入力受付部７０９が電源をオフにする。これにより、管理システム５０側では、会議装置１０が電源ＯＮから電源ＯＦＦになったことを把握することができる。
【００７９】
また、通信制御部７０２は、他の会議装置１０と会議を行う通信セッションに関する発信、着信、切断等の様々な通信制御を行う。
【００８０】
さらに、通信制御部７０２は、他の会議装置１０等からの着信を検知する着信検知部として機能する。通信制御部７０２は、他の会議装置１０等からの着信を検知すると、着信を検知したことを、遠隔制御部７０４等に通知する。
【００８１】
画像出力部７０３は、図４に示されているＣＰＵ１０１からの命令、及び図４に示されているディスプレイＩ／Ｆ１１７によって実現され、画像伝送用のケーブル１２０ｃを介して、表示装置１２０に会議等の画像を出力する。また、画像出力部７０３は、表示制御部７０８の制御に従って、会議の発信、着信、切断、及び各種設定等を行うための様々な表示画面の画像を、画像伝送用のケーブル１２０ｃを介して表示装置１２０に出力する。
【００８２】
遠隔制御部（制御部）７０４は、図４に示されているＣＰＵ１０１からの命令や、図４に示される通信Ｉ／Ｆ部１１９等によって実現され、表示装置１２０に予め定めされた制御指示を送信することにより、表示装置１２０を遠隔制御する。
【００８３】
予め定められた制御指示には、例えば、表示装置１２０の表示機能を有効又は無効にするための指示、表示装置１２０の状態を示す状態情報の送信の指示、表示装置１２０に文字列、画像等を表示させる指示、及び表示装置１２０の電源のオン／オフの指示等が含まれる。
【００８４】
遠隔制御部７０４は、例えば、送受信部７０１を用いて、通信ネットワーク２に含まれるＬＡＮを介して、表示装置１２０と通信を行う。或いは、遠隔制御部７０４は、図４に示されるネットワークＩ／Ｆ１１１とは異なる通信Ｉ／Ｆ１１９を用いて、表示装置１２０と通信を行うものであっても良い。
【００８５】
本実施形態に係る遠隔制御部７０４は、通信制御部７０２による着信の検知に応じて、画像出力部７０３による画像の出力のための通信経路とは異なる通信のセッションを介して表示装置１２０に対して後述する様々な制御を行う。
【００８６】
なお、画像出力部７０３による画像の出力のための通信経路とは、図２の例では、画像伝送用のケーブル１２０ｃによる通信経路に対応する。また、画像出力部７０３による画像の出力のための通信経路とは異なる通信のセッションとは、図２の例では、ＬＡＮ等のネットワークを介して、会議装置１０と表示装置１２０との間で行われる制御信号等の送受信に対応する。
【００８７】
会議装置１０は、遠隔制御部７０４によって表示装置１２０の表示機能を制御することで、他の会議装置から受信したコミュニケーションに関する情報を表示装置１２０に表示させる。なお、コミュニケーション関する情報には、例えば、着信を受けたことを示す情報、着信の発信元の情報、着信の発信元から送信された情報（例えば画像）等が含まれる。
【００８８】
音声出力部７０５は、図４に示されているＣＰＵ１０１からの命令、及び図４に示されている音声入出力Ｉ／Ｆ１１６によって実現され、音データを音声信号に変換してスピーカに出力して、スピーカ１１５から音声を出力させる。
【００８９】
音声入力部７０６は、図４に示されているＣＰＵ１０１からの命令、及び図５に示されている音声入出力Ｉ／Ｆ１１６によって実現され、マイク１１４によって利用者の音声が音声信号に変換された後、この音声信号を所定の音データに変換する。
【００９０】
撮像部７０７は、図４に示されているＣＰＵ１０１からの命令、並びに図４に示されているカメラ１１２及び撮像素子Ｉ／Ｆ１１３によって実現され、被写体を撮像して得られた撮像データ（例えば会議の画像）を、所定の画像（映像）データに変換して出力する。
【００９１】
表示制御部７０８は、図４に示されているＣＰＵ１０１からの命令によって実現される。表示制御部１６は、会議中に通信先の他の会議装置１０から送信される会議の画像を、画像出力部７０３を介して、表示装置１２０に表示させる。また、表示制御部７０８は、管理システム５０から受信した宛先リストの情報を、画像出力部７０３を介して、表示装置１２０に宛先リストを表示させることができる。さらに、表示制御部７０８は、会議の発信、着信、切断、及び各種設定等を行うための様々な表示画面の画像を、画像出力部７０３を介して、表示装置１２０に表示させる。
【００９２】
操作入力受付部７０９は、図４に示されているＣＰＵ１０１からの命令、並びに図４に示されている操作ボタン１０８及び電源スイッチ１０９によって実現され、利用者による各種入力を受付ける。例えば、利用者が、図４に示されている電源スイッチ１０９をオンにすると、図７に示されている操作入力受付部７０９が電源オン操作を受付けて、電源をオンに制御する。
【００９３】
記憶部１０００は、例えば、会議装置１０を識別するための端末ＩＤ(Identification）、パスワード等の様々な情報や、データ等が記憶される。
【００９４】
（表示装置の機能構成）
表示装置１２０は、遠隔制御受信部７１０、画像入力部７１１、画像表示部７１２、点灯制御部７１３、及び制御命令実行部７１４等を有する。これら各部は、例えば、図５に示されている各構成要素のいずれかが、ＲＯＭ５０２からＲＡＭ５０３上に展開された表示装置用プログラムに従ったＣＰＵ５０１からの命令によって動作することで実現される機能、又は機能する手段である。
【００９５】
遠隔制御受信部７１０は、図５に示される通信Ｉ／Ｆ５０６等によって実現され、会議装置１０から送信された予め定められた制御指示等の情報を受信する。また、遠隔制御受信部７１０は、受信した制御指示を制御命令実行部７１４に通知する。
【００９６】
予め定められた制御指示には、例えば、表示装置１２０の表示機能を有効又は無効にするための指示、表示装置１２０の状態を示す状態情報の送信の指示、表示装置１２０に文字列、画像等を表示させる指示、及び表示装置１２０の電源のオン／オフの指示等が含まれる。
【００９７】
遠隔制御受信部７１０は、例えば、通信ネットワーク２に含まれるＬＡＮに接続し、ＬＡＮを介して会議装置１０と通信を行う。或いは、遠隔制御受信部７１０は、会議装置１０の通信Ｉ／Ｆ１１９とＬＡＮを介さずに通信を行うものであっても良い。
【００９８】
なお遠隔制御受信部７１０は、表示装置の電源がオフの時でも、会議装置１０からの制御指示を受信し、受信した制御指示を制御命令実行部７１４に通知することができる。
【００９９】
画像入力部７１１は、図５に示されている外部入力Ｉ／Ｆ５０７等によって実現され、会議装置１０から画像伝送用のケーブル１２０ｃを介して伝送された画像を受信する。
【０１００】
画像表示部７１２は、図５に示されているＣＰＵ５０１からの命令、及び図５に示されるＬＥＤ駆動回路５１０、ＬＥＤ光源５１１、投写デバイス５１２、投写レンズ５１３等を含む投写部等によって実現される。画像表示部７１２は、例えば、画像入力部７１１が受信した画像や、制御命令実行部７１４に指示された画像、文字列等を表示（投写）する。
【０１０１】
点灯制御部７１３は、図５に示されているＣＰＵ５０１、及び図５に示されるＬＥＤ駆動回路５１０等によって実現され、例えば、図５に示されるＬＥＤ光源５１１等の光源の点灯／消灯等を制御する。
【０１０２】
制御命令実行部７１４は、図５に示されているＣＰＵ５０１からの命令によって実現される。制御命令実行部７１４は、遠隔制御受信部７１０によって受信され、制御命令実行部７１４に通知された制御情報に従って、予め定められた処理を実行する。
【０１０３】
例えば、制御命令実行部７１４は、表示に関する機能を有効にさせるための制御情報を受付けると、画像表示部７１２に画像の表示を開始させると共に、点灯制御部７１３に光源を点灯させる。また、制御命令実行部７１４は、表示機能を無効にさせるための制御情報を受付けると、例えば、画像表示部７１２に画像の表示を停止させると共に、点灯制御部７１３に光源を消灯させる。
【０１０４】
また、制御命令実行部７１４は、「状態を示す状態情報の送信」を指示する制御指示を受付けると、例えば、表示機能が有効であるか否か、画像入力部７１１にケーブル１２０ｃを介して会議装置１０が接続されているか否か等の情報を収集する。また、制御命令実行部７１４は、収集された情報を含む状態情報を作成し、作成した状態情報を、遠隔制御受信部７１０を介して、会議装置１０に通知する。
【０１０５】
さらに、制御命令実行部７１４は、「画像や又は文字列等の表示」を指示する制御指示を受付けると、画像表示部７１２に指示された画像や文字列等を表示させる。
【０１０６】
（管理システムの機能構成）
本実施形態では、管理システム５０の具体的な構成は任意で良いので、ここでは一例を示して概要のみ説明する。
【０１０７】
管理システム５０は、送受信部５１、通信制御部５２、管理部５３、及び記憶・読出部５４を有している。これら各部は、図６に示されている各構成要素のいずれかが、ＨＤ２０４からＲＡＭ２０３上に展開された伝送管理用プログラムに従ったＣＰＵ２０１からの命令によって動作することで実現される機能又は機能する手段である。また、伝送管理システム５０は、図４に示されているＨＤ２０４により構築される記憶部５０００を有している。
【０１０８】
送受信部５１は、図６に示されているＣＰＵ２０１からの命令、及び図６に示されるネットワークＩ／Ｆ２０９によって実現され、通信ネットワーク２を介して他の端末、装置又はシステムと各種データ（または情報）の送受信を行う。
【０１０９】
通信制御部５２は、図６に示されているＣＰＵ２０１からの命令によって実現され、会議装置１０が、他の会議装置１０と通信（会議）を行うための様々な制御を行う。
【０１１０】
管理部５３は、記憶部５０００に記憶された、認証管理ＤＢ（Database）５００１、端末管理ＤＢ５００２、宛先リスト管理ＤＢ５００３、サービス管理ＤＢ５００４、及び利用状態管理ＤＢ５００５等の情報を管理する。
【０１１１】
記憶・読出部５４は、図６に示されているＣＰＵ２０１からの命令、及びＨＤＤ２０５によって実現され、記憶部５０００への各種データを記憶、及び記憶部５０００からの各種データの読み出しを行う。
【０１１２】
ここで、管理部５３が管理する各情報について説明する。
【０１１３】
図８、９は、一実施形態に係る管理システムが管理する管理テーブルの概念図である。
【０１１４】
（認証管理テーブル）
図８（Ａ）は、認証管理テーブルの一例を示す概念図である。記憶部５０００には、図８（Ａ）に示されているような認証管理テーブルによって構成されている認証管理ＤＢ５００１が構築されている。この認証管理テーブルでは、伝送管理システム５０によって管理される会議装置１０の識別情報である端末ＩＤの各々に対して、パスワードが関連付けられて管理されている。
【０１１５】
（端末管理テーブル）
図８（Ｂ）は、端末管理テーブルを示す概念図である。記憶部５０００には、図８（Ｂ）に示されているような端末管理テーブルによって構成されている端末管理ＤＢ５００２が構築されている。この端末管理テーブルでは、会議装置１０の端末ＩＤ毎に、各会議装置１０を宛先とした場合の宛先名、各会議装置１０の稼動状態、後述のログイン要求情報が伝送管理システム５０で受信された受信日時、及び会議装置１０のＩＰアドレスが関連付けられて管理される。
【０１１６】
（宛先リスト管理テーブル）
図８（Ｃ）は、宛先リスト管理テーブルを示す概念図である。記憶部５０００には、図８（Ｃ）に示されているような宛先リスト管理テーブルによって構成されている宛先リスト管理ＤＢ５００３が構築されている。この宛先リスト管理テーブルでは、通話の開始を要求する要求元端末の端末ＩＤに対して、宛先候補として登録されている宛先端末の端末ＩＤが関連付けられて管理される。
【０１１７】
（サービス管理テーブル）
図９（Ａ）は、サービス管理テーブルを示す概念図である。記憶部５０００には、図９（Ａ）に示されているようなサービス管理テーブルによって構成されているサービス管理ＤＢ５００４が構築されている。このサービス管理テーブルでは、伝送管理システム５０が各会議装置１０に提供するサービスを識別するためのサービスＩＤ、及び図９（Ａ）に示した品質ＩＤが関連付けられて管理されている。
【０１１８】
（利用状態管理テーブル）
図９（Ｂ）は、利用状態管理テーブルを示す概念図である。記憶部５０００には、図９（Ｂ）に示されているような利用状態管理テーブルによって構成されている利用状態管理ＤＢ５００５が構築されている。この利用状態管理テーブルでは、図９（Ｂ）に示した品質ＩＤ、セッションＩＤ、及び、このセッションＩＤで示される通信セッションの利用状態を示す利用状態情報が関連付けられて管理されている。例えば、図９（Ｂ）では、利用状態として、利用中である旨を示す場合は「１」で、利用していない（利用中でない)旨を示す場合は「０」で示されている。
【０１１９】
（中継装置の機能構成）
中継装置３０は、会議装置１０と他の会議装置１０との通信を中継する。例えば、会議装置１０は、他の複数の会議装置１０と通信を行う場合、中継装置３０に対して会議画像等のデータを送信する。中継装置３０は、会議装置１０から受信したデータを、他の複数の会議装置１０に転送する。これにより、会議装置１０は、複数の会議装置１０と通信行うときでも、中継装置３０だけにデータを送信すれば良いので、複数の会議装置１０による通信が容易になる。
【０１２０】
なお、本実施形態では、中継装置３０の構成は任意で良いので、ここでは具体的な構成の説明は省略する。
【０１２１】
＜実施形態の処理又は動作＞
続いて、各実施形態の具体的な処理について説明する。
【０１２２】
［第１の実施形態］
第１の実施形態では、会議装置１０の遠隔制御部７０４により、表示装置１２０の電力制御（例えば、表示機能を有効又は無効にする制御等）を行う場合の例について説明する。
【０１２３】
本実施形態に係る会議装置１０は、会議の画像を外部に接続された表示装置１２０に表示させる。このような会議装置１０では、会議を行う前に表示装置１２０を、例えば、画像伝送用のケーブル１２０ｃで会議装置１０に接続し、会議装置１０及び表示装置１２０の電源をオンさせる。
【０１２４】
しかし、プロジェクタや、大画面のディスプレイ等は、例えば、消費電力の観点等から、使用中以外は電源がオフされることが多い。一方、会議装置１０は、いつでも着信を受けられるように、通信ネットワーク２に接続されている場合がある。
【０１２５】
例えば、会議装置１０が着信を受けると、会議装置１０は発信元の情報等を表示装置１２０に出力する。しかし、表示装置１２０の電源がオフされている場合、会議装置１０が出力した発信元の情報が表示装置１２０に表示されない。従って、利用者は、例えば、会議装置１０から着信音が聞こえても、発信元の情報を得ることができず、応答をすべきかどうかの判断に迷う場合等がある。また、大きな会議室等では、着信音等に応じて、利用者が表示装置１２０の電源をオンするまでに時間を要してしまう場合がある。
【０１２６】
本実施形態に係る会議装置１０は、会議の画像を外部に接続された表示装置１２０に表示させる会議装置１０において、着信を受けた場合に、発信元の情報を表示装置１２０に表示させることを容易にする。
【０１２７】
＜処理の流れ＞
図１０は、第１の実施形態に係る会議装置の処理の例を示すフローチャートである。なお、図１０の処理の開始時点において、会議装置１０は通信ネットワーク２に接続され、他の会議装置１０からの着信を受けられる状態にあるものとする。また、会議装置１０には、例えば、図２で前述した方法等により、表示装置１２０のＩＰアドレスが設定されているものとする。さらに、表示装置１２０には、画像伝送用ケーブル１２０ｃで会議装置１０と接続され、コンセント等から電力が供給されているものとする。
【０１２８】
ステップＳ１００１において、会議装置１０は、通信制御部（着信検知部の一例）７０２が着信を検知すると、ステップＳ１００２以降の処理を実行する。
【０１２９】
ステップＳ１００２に移行すると、会議装置１０の遠隔制御部７０４は、表示装置１２０に動作状態を問い合わせる。なお、具体的な動作状態の問合せ方法については後述する。
【０１３０】
ステップＳ１００３において、会議装置１０の遠隔制御部７０４は、表示装置１２０から取得した動作状態の情報に基づいて、表示装置１２０が表示可能な状態であるかどうか（表示に関する機能が有効であるか否か）を判断する。表示装置１２０が表示可能な状態でない場合、ステップＳ１００４において、会議装置１０の遠隔制御部７０４は、表示装置１２０に、表示に関する機能を有効にさせるための制御情報（以下、有効にするための指示と呼ぶ）を送信する。一方、表示装置１２０が表示可能な状態である場合、会議装置１０の遠隔制御部７０４は、処理を終了させる。
【０１３１】
上記の処理により、会議装置１０が着信を検知したとき、表示装置１２０が表示に関する機能が停止していても、自動的に表示装置１２０の表示が開始されるようになる。
【０１３２】
次に、図１１のシーケンス図を用いて、本実施形態に係る会議装置１０と表示装置１２０との間の処理について、詳しく説明する。
【０１３３】
図１１は、第１の実施形態に会議装置と表示装置との間の処理の例を示すシーケンス図である。
【０１３４】
ステップＳ１１０１において、会議装置１０の通信制御部７０２は、例えば、他の会議装置１０からの着信を検知する。着信を検知した通信制御部７０２は、着信が検知されたことを遠隔制御部７０４に通知する。
【０１３５】
ステップＳ１１０２において、会議装置１０の遠隔制御部７０４は、予め記憶した表示装置１２０のＩＰアドレスに基づいて、表示装置１２０に状態情報の送信を指示する情報を送信する。送信された情報は、例えば、通信ネットワーク２に含まれるＬＡＮを介して、表示装置１２０に送信される。
【０１３６】
ステップＳ１１０３において、表示装置１２０の遠隔制御受信部７１０は、会議装置１０から送信された状態情報の送信を指示する情報を受信し、受信した情報を制御命令実行部７１４に通知する。これに応じて、制御命令実行部７１４は、表示装置１２０の状態情報を取得する。この状態情報には、例えば、表示装置１２０の表示機能が動作している（有効）か、停止している（無効）か、を示す情報等が含まれる。
【０１３７】
ステップＳ１１０４において、表示装置１２０の制御命令実行部７１４は、遠隔制御受信部７１０を介して、取得した状態情報を会議装置１０に送信する。図１１の例では、この状態情報には、表示装置１２０の表示機能が停止していることを示す情報が含まれる。
【０１３８】
ステップＳ１１０５において、会議装置１０の遠隔制御部７０４は、送受信部７０１を介して、表示装置１２０から送信された状態情報を受信する。図１１の例では、この状態情報には、表示装置１２０の表示機能が停止していることを示す情報が含まれるので、遠隔制御部７０４は、表示装置１２０に、表示機能を有効にするための指示を送信する。
【０１３９】
ステップＳ１１０６において、表示装置１２０の遠隔制御受信部７１０は、会議装置１０から送信された表示機能を有効にするための指示を受信すると、受信した指示を制御命令実行部７１４に通知する。これに応じて、制御命令実行部７１４は、表示装置１２０の表示機能を有効にする。例えば、制御命令実行部７１４は、画像表示部７１２に、画像入力部７１１に入力された画像を表示させると共に、点灯制御部７１３に光源を点灯させる。
【０１４０】
ステップＳ１１０７において、表示装置１２０の制御命令実行部７１４は、遠隔制御受信部７１０を介して、表示機能を有効にする処理が完了したことを示す情報を会議装置１０に送信する。
【０１４１】
なお、図１０及び図１１の処理はあくまで一例である。会議装置１０の遠隔制御部７０４は、着信に応じて、会議装置１０が画像を表示させる表示装置１２０の少なくとも表示に関する機能（表示、点灯等）を有効にするものであれば良い。
【０１４２】
また、会議装置１０の遠隔制御部７０４は、Ｓ１００１で検知された着信に応じて、ステップＳ１００２、Ｓ１００３の処理を省略して、ステップＳ１００４の表示装置１２０に表示機能を有効にするための指示を送信するもの等であっても良い。
【０１４３】
以上、本実施形態によれば、会議装置１０は、着信を検知すると、会議装置１０が画像を表示させる表示装置１２０の表示に関する機能を自動的に有効にすることができる。これにより、本実施形態に係る会議装置１０によれば、会議の画像を外部に接続された表示装置１２０に表示させる会議装置１０において、着信を受けた場合に、表示装置の表示機能が有効でない場合であっても発信元の情報を表示装置に表示させることを容易にすることができる。
【０１４４】
（応用例１）
上記の説明では、会議装置１０の遠隔制御部７０４が、着信に応じて、表示装置１２０の表示に関する機能を有効にする場合について説明を行った。別の一例として、会議装置１０の遠隔制御部７０４は、会議装置１０の起動に応じて、表示装置１２０の表示に関する機能を有効にするものであっても良い。
【０１４５】
図１２（ａ）に、応用例１に係る会議装置１０の処理の流れを示す。
【０１４６】
ステップＳ１２０１において、会議装置１０は、例えば、利用者による会議装置１０の起動操作を受付けると、ステップＳ１２０２以降の処理を実行する。
【０１４７】
ステップＳ１２０２において、会議装置１０の起動処理が行われ、会議装置１０は処理を開始する。
【０１４８】
ステップＳ１２０３において、会議装置１０の遠隔制御部７０４は、表示装置１２０に動作状態を問い合わせる。
【０１４９】
ステップＳ１２０４において、会議装置１０の遠隔制御部７０４は、表示装置１２０から取得した動作状態の情報に基づいて、表示装置１２０が表示可能な状態であるかどうかを判断する。表示装置１２０が表示可能な状態でない場合、ステップＳ１２０５において、会議装置１０の遠隔制御部７０４は、表示装置１２０に表示に関する機能を有効にするための指示を送信する。一方、表示装置１２０が表示可能な状態である場合、会議装置１０の遠隔制御部７０４は、処理を終了する。
【０１５０】
上記の処理により、会議装置１０が起動したとき、表示装置１２０が表示に関する機能が停止していても、自動的に表示装置１２０の表示が開始されるようになる。
【０１５１】
（応用例２）
会議装置１０は、所定の条件に応じて、表示装置１２０の表示に関する機能を停止させるものであっても良い。
【０１５２】
図１２（ｂ）は、応用例２に係る会議装置１０の処理の例を示す。なお、図１２（ｂ）の処理の開始時点において、会議装置１０は、他の会議装置１０と通信中であるものとする。
【０１５３】
ステップＳ１２１１において、会議装置１０は、通信制御部７０２によって会議の通信が切断されたことを検知すると、ステップＳ１２１２以降の処理を実行する。
【０１５４】
ステップＳ１２１２に移行すると、会議装置１０の遠隔制御部７０４は、所定の時間（例えば１分）待機する。
【０１５５】
ステップＳ１２１３において、会議装置１０の遠隔制御部７０４は、会議装置１０が待機状態（通信していない状態）であるかどうかを判断する。会議装置１０が待機状態である場合、ステップＳ１２１４において、遠隔制御部７０４は、表示装置１２０に表示に関する機能を無効にするための指示を送信する。一方、会議装置１０が待機状態でない場合（通信中等）、会議装置１０は、処理をステップＳ１２１１に移行させて、同様の処理を繰り返す。
【０１５６】
上記の処理により、会議装置１０で通信が終了した後、表示装置１２０が表示に関する機能を自動的に停止させることができる。
【０１５７】
［第２の実施形態］
第２の実施形態では、表示装置１２０が、会議装置１０と画像伝送用のケーブル１２０ｃで接続されておらず、会議装置１０から出力された画像を表示できない場合の処理の例について説明する。なお、会議装置１０の遠隔制御部７０４と、表示装置１２０の遠隔制御受信部７１０及び制御命令実行部７１４との間の処理の流れは、図１１に示す第１の実施形態と同様なので、ここでは詳細な説明を省略する。
【０１５８】
＜処理の流れ＞
図１３は、第２の実施形態に係る会議装置の処理の例を示すフローチャートである。なお、図１３の処理の開始時点において、会議装置１０は通信ネットワーク２に接続され、他の会議装置１０からの着信を受けられる状態にあるものとする。また、会議装置１０には、例えば、図２で述べた方法等により、表示装置１２０のＩＰアドレスが設定されているものとする。さらに、表示装置１２０には、コンセント等から電力が供給されているものとする。
【０１５９】
なお、ステップＳ１００１〜ステップＳ１００４の処理は、第１の実施形態と同様なので、ここでは差分を中心に説明する。
【０１６０】
ステップＳ１３０１において、会議装置１０の遠隔制御部７０４は、表示装置１２０に画像信号の入力状態を問い合わせる。なお、このとき、会議装置１０の表示制御部７０８は、画像出力部７０３を介して、表示装置１２０に所定の画像信号（例えば、着信を通知する画面等）を出力しているものとする。
【０１６１】
ステップＳ１３０２において、会議装置１０の遠隔制御部７０４は、表示装置１２０から取得した画像信号の入力状態の情報に基づいて、表示装置１２０に画像信号が入力されているか否かを判断する。表示装置１２０に画像信号が入力されている場合、処理を終了させる。一方、表示装置１２０に画像信号が入力されていない場合、ステップＳ１３０３において、会議装置１０の遠隔制御部７０４は、表示装置１２０に、会議装置１０への画像伝送用のケーブル１２０ｃの接続を確立するための情報（例えば、利用者にケーブル１２０ｃの接続を促す情報）の表示を指示する。なお、この指示は、表示装置１２０の会議装置１０への接続を確立するための制御情報の一例である。
【０１６２】
これにより、表示装置１２０は、会議装置１０から受信した指示に基づいて、制御命令実行部７１４が、画像表示部７１２に画像伝送用ケーブル１２０ｃの接続を確立するための情報を表示させる。このとき、表示装置１２０の画像表示部７１２によって表示される表示画面の例を図１４に示す。
【０１６３】
図１４は、第２の実施形態に係る表示装置の表示画面の例を示す図である。
【０１６４】
図１４（ａ）の例では、表示画面１４０１に、画像伝送用のケーブル１２０ｃの接続を確立するための情報の一例として、「ケーブルを接続して下さい。」という、利用者にケーブル１２０ｃの接続を促すメッセージ１４０２が表示されている。
【０１６５】
また、図１２（ｂ）の例では、表示画面１４０３に、画像伝送用ケーブル１２０ｃの接続を確立するための情報の別の一例として、「ケーブルが接続されていません。」というメッセージ１４０４が表示されている。例えば、このように、表示装置１２０に表示されるメッセージは、メッセージを見た利用者に画像伝送用のケーブル１２０ｃの接続を促すことができる内容であれば、具体的なメッセージの内容は任意で良い。
【０１６６】
なお、図１３のステップＳ１３０１において、会議装置１０が表示装置１２０に画像信号の入力状態を問い合わせる処理は、会議装置１０と表示装置１２０とが、ケーブル１２０ｃで接続されているか否かを確認する処理の一例である。
【０１６７】
例えば、画像伝送用のケーブル１２０ｃがＨＤＭＩケーブルである場合、ＨＰＤ（Hot Plug Detect）信号により機器の接続を検出することができる。この場合、会議装置１０は、図１３のステップＳ１３０１において、表示装置１２０に、画像入力部７１１に機器が接続されているか否かを問い合わせるものであっても良い。或いは、会議装置１０と表示装置１２０とが、ケーブル１２０ｃで接続されている否かの判定は、会議装置１０側の画像出力部７０３等によって行われるものであっても良い。
【０１６８】
以上、本実施形態によれば、会議装置１０は、着信を検知すると、会議装置１０が画像を表示させる表示装置１２０の表示に関する機能を自動的に有効にする。さらに、会議装置１０は、表示装置１２０にケーブル１２０ｃを介して会議装置１０が接続されていない場合、表示装置１２０にケーブル１２０ｃの接続を確立するための情報を表示させる。
【０１６９】
これにより、本実施形態に係る会議装置１０によれば、会議の画像を外部に接続された表示装置１２０に表示させる会議装置１０において、着信を受けた場合に、発信元の情報を表示装置に表示させることを容易にすることができる。
【０１７０】
［第３の実施形態］
第３の実施形態では、会議装置１０の遠隔制御部７０４が、着信に応じて、表示装置１２０に着信に係る情報を表示させる例について説明する。なお、会議装置１０の遠隔制御部７０４と、表示装置１２０の遠隔制御受信部７１０及び制御命令実行部７１４との間の処理の流れは、図１１に示す第１の実施形態と同様なので、ここでは詳細な説明を省略する。
【０１７１】
＜処理の流れ＞
図１５は、第３の実施形態に係る会議装置の処理の例を示すフローチャートである。なお、図１５の処理の開始時点において、会議装置１０は通信ネットワーク２に接続され、他の会議装置１０からの着信を受けられる状態にあるものとする。また、会議装置１０には、例えば、図２で前述した方法等により、表示装置１２０のＩＰアドレスが設定されているものとする。さらに、表示装置１２０には、コンセント等から電力が供給されているものとする。
【０１７２】
図１５（ａ）は、第３の実施形態に係る会議装置の処理の一例を示すフローチャートである。
【０１７３】
ステップＳ１００１〜Ｓ１００４までの処理は、図１０に示す第１の実施形態の処理と同様である。これらの処理により、会議装置１０は、着信を検知すると表示装置１２０に表示に関する機能を有効にするための指示を送信する。
【０１７４】
また、図１５（ａ）の例では、会議装置１０は、ステップＳ１５０１において、表示装置１２０に着信に係る情報（着信情報）の表示を指示する。この指示には、例えば、着信があることを示す情報、発信元の会議端末の情報、発信元の利用者の情報等が含まれる。
【０１７５】
これにより、表示装置１２０は、会議装置１０から受信した指示に基づいて、制御命令実行部７１４が、画像表示部７１２に着信に係る情報を表示させる。このとき、表示装置１２０の画像表示部７１２によって表示される表示画面の例を図１６（ａ）に示す。
【０１７６】
図１６（ａ）の例では、表示装置１２０の表示画面１６０１には、着信があることを示すメッセージ１６０２が表示されている。また、図１６（ａ）の例では、着信があることを示すメッセージ１６０２に、発信元の会議装置１０の識別情報（端末ＩＤ ０１ａａ）が含まれている。
【０１７７】
このように、本実施形態による会議装置１０は、画像を表示させる表示装置１２０と画像伝送用のケーブル１２０ｃで接続されていない場合でも、着信に応じて、表示装置１２０に着信に係る情報を表示させることができる。
【０１７８】
図１５（ｂ）は、第３の実施形態に係る会議装置の処理の別の一例を示すフローチャートである。
【０１７９】
ステップＳ１００１〜Ｓ１００４までの処理は、図１０に示す第１の実施形態のステップＳ１００１〜Ｓ１００４の処理と同様である。この処理により、会議装置１０は、着信を検知すると表示装置１２０に表示に関する機能を有効にするための指示を送信する。
【０１８０】
また、ステップＳ１３０１、Ｓ１３０２の処理は、図１３に示す第２の実施形態のステップＳ１３０１、Ｓ１３０２の処理と同様である。この処理により、会議装置１０は、表示装置１２０に、画像伝送用ケーブル１２０ｃを介して会議装置１０が接続されているか否かを判断する。
【０１８１】
また、図１５（ｂ）の例では、会議装置１０は、ステップＳ１３０２において、表示装置１２０に、ケーブル１２０ｃを介して会議装置１０が接続されていないと判断された場合、ステップＳ１５１１において、表示装置１２０に着信に係る情報の表示を指示する。
【０１８２】
一方、会議装置１０は、ステップＳ１３０２において、表示装置１２０に、ケーブル１２０ｃを介して会議装置１０が接続されていると判断された場合、処理を終了させる。これは、表示装置１２０が、会議装置１０から画像伝送用のケーブル１２０ｃを介して入力された着信情報を含む画像を表示していると考えられるためである。
【０１８３】
ステップＳ１５１２において、会議装置１０の遠隔制御部７０４は、表示装置１２０に、会議装置１０への画像伝送用ケーブル１２０ｃの接続を確立するための情報の表示を指示する。
【０１８４】
上記の処理により、表示装置１２０の制御命令実行部７１４は、会議装置１０から受信した指示に基づいて、画像表示部７１２に、着信に係る情報と、画像伝送用ケーブル１２０ｃの接続を促す情報とを表示させる。このとき、表示装置１２０の画像表示部７１２によって表示される表示画面の例を図１６（ｂ）に示す。
【０１８５】
図１６（ｂ）の例では、表示装置１２０の表示画面１６０３には、着信があることを示すメッセージ１６０４と、ケーブル１２０ｃの接続を確立するための情報の一例である利用者にケーブルの接続を促すメッセージ１３０４とが表示されている。また、図１６（ｂ）の例では、着信があることを示すメッセージ１６０４に、発信元の会議装置１０の情報（「Ａ社東京事業所ＡＡ端末」等）が含まれている。なお、発信元の情報の取得方法については後述する。
【０１８６】
なお、図１６において、着信に係る情報、及びケーブル１２０ｃの接続を確立するための情報が、文字列の場合の例を示したが、着信に係る情報、又はケーブル１２０ｃの接続を促す情報は画像情報であっても良い。
【０１８７】
このように、本実施形態に係る会議装置１０は、画像を表示させる表示装置１２０と画像伝送用のケーブル１２０ｃで接続されていない場合、着信に応じて、表示装置１２０に着信に係る情報や、ケーブル１２０ｃの接続を確立するための情報等を表示させることができる。
【０１８８】
（発信元の情報の取得処理）
ここで、会議装置１０が、着信を検知したときに、発信元の宛先情報を取得する方法の一例について説明する。
【０１８９】
図１７は、第３の実施形態に係る伝送システムの発信元情報の取得処理の例を示すシーケンス図である。なお、ここでは、発信側の会議装置１０ａａを「要求元端末」とし、要求元端末の端末ＩＤが「０１ａａ」であるものとする。また、着信側の会議装置１０ｄｂを「宛先端末」とし、宛先端末の端末ＩＤが「０１ｄｂ」であるものとして、以下の説明を行う。
【０１９０】
ステップＳ１７０１において、要求元端末は、要求元端末の利用者による、宛先端末の選択操作を受付けると、管理システム５０にセッションの開始を要求する開始要求情報を送信する（ステップＳ１７０２）。この開始要求情報には、例えば、要求元端末の要求元端末ＩＤ、宛先端末の宛先端末ＩＤ、及び要求元端末に提供されるサービス内容を識別するためのサービスＩＤ等が含まれる。また、開始要求情報には、要求元端末のＩＰアドレス（要求元ＩＰアドレス）等も含まれる。
【０１９１】
ステップＳ１７０３において、端末１０Ａから開始要求情報を受信した管理システム５０の通信制御部５２は、開始要求情報に含まれる要求元端末の端末ＩＤ「０１ａａ」に基づいて、図８（Ｂ）に示す端末管理テーブルを更新する。例えば、通信制御部５２は、管理部５３を介して、要求元端末の端末ＩＤ「０１ａａ」に対応する稼働状態の情報を「ＯＮライン（通信中）」に変更し、受信日時の情報を更新する。
【０１９２】
ステップＳ１７０４において、管理システム５０の通信制御部５２は、要求元端末から受信した開始要求情報に含まれるサービスＩＤを抽出する。
【０１９３】
ステップＳ１５０５において、管理システム５０の通信制御部５２は、抽出したサービスＩＤに対応するサービス内容を、管理部５３を介して、サービス管理ＤＢ５００４から取得する。
【０１９４】
ステップＳ１７０６において、管理システム５０の通信制御部５２は、宛先端末にセッションの開始を要求する開始要求情報を送信する。この開始要求情報には、例えば、要求元端末の要求元端末ＩＤ等が含まれる。
【０１９５】
ステップＳ１７０７において、宛先端末（会議装置１０ｄｂ）の通信制御部７０２は、管理システム５０から開始要求情報を受信することにより、着信を検知することができる。着信を検知した通信制御部７０２は、着信を検知したことを遠隔制御部７０４に通知する。
【０１９６】
遠隔制御部７０４は、開始要求情報に含まれる要求元端末の要求元端末ＩＤを用いて、表示装置１２０に着信情報を表示させることもできるが、さらに要求元端末の情報を取得する場合、以下に示すステップＳ１７０８〜Ｓ１７１２の処理を実行する。
【０１９７】
ステップＳ１７０８において、宛先端末の遠隔制御部７０４は、送受信部７０１を介して、管理システム５０に宛先リストを要求する宛先リスト要求情報を送信する。この宛先リスト要求情報には、宛先端末の端末ＩＤ「０１ｄｂ」が含まれる。
【０１９８】
なお、宛先リストは、予め登録された会議装置１０の宛先の情報を一覧表示することにより、利用者の宛先の選択操作を容易にするためのものである。ここでは、会議装置１０が、この宛先リストの仕組みを用いて要求元端末の情報を取得する場合の例について説明する。
【０１９９】
ステップＳ１７０９において、管理システム５０は、宛先端末（会議装置１０ｄｂ）から宛先リスト要求情報を受信すると、管理部５３により、宛先リスト管理ＤＢ５００３から、宛先端末と通信することができる端末のリストを抽出する。例えば、管理部５３は、宛先端末の端末ＩＤ「０１ｄｂ」を検索キーとして、図８（ｃ）に示す宛先リスト管理テーブルを検索することにより、宛先端末と通信することができる端末のリストを抽出する。
【０２００】
ステップＳ１７１０において、管理システム５０の管理部５３は、抽出した各端末の宛先名を、端末管理ＤＢ５００２から抽出する。例えば、管理部５３は、ステップＳ１７０９で抽出された端末の端末ＩＤをキーとして、図８（Ｂ）に示す端末管理テーブルを検索することにより、各端末の宛先名を抽出する。
【０２０１】
ステップＳ１７１１において、管理システム５０の管理部５３は、送受信部５１を介して、宛先端末（会議装置１０ｄｂ）に宛先リスト情報を送信する。この宛先リスト情報には、ステップＳ１７０９で抽出された端末ＩＤと、各端末ＩＤに対応する宛先名の情報が含まれる。
【０２０２】
ステップＳ１７１２において、宛先端末（会議装置１０ｄｂ）の遠隔制御部７０４は、管理システム５０から受信した宛先リスト情報に基づいて、要求元端末の端末ＩＤ「０１ａａ」と一致する宛先名「日本  東京事業所  ＡＡ端末」を抽出する。例えば、このようにして、宛先端末は、要求元端末に係る情報を取得することができる。
【０２０３】
ステップＳ１７１３において、例えば、図１５（ｂ）の処理を実行することにより、ステップＳ１７１４において、宛先端末に対応する表示装置１２０ｄｂは、図１６（ｂ）に示すような表示画面１６０３を表示することができる。
【０２０４】
以上、本実施形態によれば、会議装置１０は、着信を検知すると、会議装置１０が画像を表示させる表示装置１２０の表示に関する機能を自動的に有効にする。さらに、会議装置１０は、表示装置１２０に画像出力部７０３とは異なる通信部（例えば送受信部７０１）を用いて、表示装置１２０に着信に係る情報を表示させる。
【０２０５】
これにより、本実施形態に係る会議装置１０によれば、会議の画像を外部に接続された表示装置１２０に表示させる会議装置１０において、着信を受けた場合に、発信元の情報を表示装置に表示させることを容易にすることができる。
【０２０６】
また、本実施形態による会議装置１０によれば、着信を受けた場合に、会議装置１０とケーブル１２０ｃが接続されていない表示装置１２０に対しても、着信に係る情報を表示させることができるようになる。
【０２０７】
［第４の実施形態］
第４の実施形態では、会議装置１０と表示装置１２０とがケーブル１２０ｃで接続されていない状態で、通信（会議）が開始された場合の処理の例について説明する。
【０２０８】
＜処理の流れ＞
図１８は、第４の実施形態に係る伝送システムの着信処理の例を示すシーケンス図である。なお、図１８の処理の開始時点において、表示装置１０ｄｂは、画像転送用のケーブル１２０ｃで会議装置１０ｄｂに接続されていないものとする。
【０２０９】
なお、図１８のステップＳ１７０１〜Ｓ１７０７の処理は、図１７に示す第３の実施形態の処理と同様なので、ここでは差分を中心に説明する。
【０２１０】
ステップＳ１７０７において、会議装置１０ｄｂの通信制御部７０２によって、要求元端末からの着信が検知された後、例えば、ステップＳ１８０１において、利用者、又は宛先端末の通信制御部７０２等により、応答操作が行われるものとする。これにより、会議装置１０ｄｂの通信制御部７０２は、管理システム５０に開始応答情報を送信する。
【０２１１】
なお、ステップＳ１８０１のタイミングで着信操作を行うのはあくまで一例であり、応答操作を行うタイミングは、ステップＳ１７０７以降の他のタイミングであっても良い。ここでは、一例として、ステップＳ１８０１のタイミングで着信操作を行った場合の処理について、以下の説明を行う。
【０２１２】
ステップＳ１８０２において、セッション確立処理が行われ、会議装置１０ａａと会議装置１０ｄｂとの間のセッションが確立される。なお、会議装置１０ａａと会議装置１０ｄｂとの間の通信は、実際には中継装置３０を介して行われる。
【０２１３】
ステップＳ１８０３において、会議装置１０ｄｂは、画像出力部７０３から、会議の画像の表示装置１０ｄｂへの出力を開始する。
【０２１４】
ステップＳ１８０４において、会議装置１０ｄｂの遠隔制御部７０４は、ステップＳ１７０７の着信の検知に応じて、表示装置１０ｄｂに表示機能を有効にするための指示を送信する。この処理は、ステップＳ１８０２、Ｓ１８０３の処理の前に行われるものであっても良いし、ステップＳ１８０２、Ｓ１８０３の処理と並行して行われるものであっても良い。
【０２１５】
ステップＳ１８０４において、会議装置１０ｄｂの遠隔制御部７０４は、表示装置１２０ｄｂに、画像入力状態の送信を指示する。
【０２１６】
ステップＳ１８０６において、表示装置１０ｄｂの制御命令実行部７１４は、ケーブル１２０ｃが接続されていないので、遠隔制御受信部７１０を介して、会議装置１０ｄｂに画像入力がないことを示す情報を送信する。
【０２１７】
ステップＳ１８０６において、会議装置１０ｄｂの遠隔制御部７０４は、通信中に、表示装置１２０とのケーブル１２０ｃが接続されていない場合、例えば、会議装置１０ａａから受信した会議の画像の少なくとも一部の表示を、表示装置１０ｄｂに指示する。
【０２１８】
例えば、遠隔制御部７０４は、会議装置１０ａａから受信した動画像から静止画像を作成し、所定の時間間隔（例えば１０秒毎）に作成した静止画像の表示を表示装置１２０ｄｂに指示するものであっても良い。或いは、遠隔制御部７０４は、会議装置１０ａａから受信した動画像のうち、所定の期間（例えば３０秒間）の動画像を取得し、取得した動画像の表示を表示装置１２０ｄに指示するものであっても良い。
【０２１９】
ステップＳ１８０８において、会議装置１０ｄｂの遠隔制御部７０４は、表示装置１２０ｄｂに、ケーブル１２０ｃの接続を促す情報の表示を指示する。
【０２２０】
ステップＳ１８０９において、表示装置１２０ｄｂの制御命令実行部７１４は、ステップＳ１８０７、Ｓ１８０８の指示に応じて、画像表示部７１２に、指示された情報を表示させる。このとき、表示装置１２０の画像表示部７１２によって表示される表示画面の例を図１９に示す。
【０２２１】
図１９は、第４の実施形態に係る表示装置の通信中の表示画面の例を示す図である。表示装置１２０ｄｂの表示画面１９０１には、会議の画像の少なくとも一部１９０２（例えば静止画像）と、ケーブル１２０ｃの接続を促すメッセージ１９０３とが表示されている。
【０２２２】
以上、本実施形態によれば、会議装置１０は、着信を検知すると、会議装置１０が画像を表示させる表示装置１２０の表示に関する機能を自動的に有効にする。さらに、会議装置１０は、表示装置１２０に画像出力部７０３とは異なる通信部（例えば送受信部７０１）を用いて、表示装置１２０に会議の画像の少なくとも一部を表示させることができる。
【０２２３】
これにより、本実施形態に係る会議装置１０によれば、表示装置１２０と会議装置１０との間のケーブル１２０ｃが接続されていない状態で、着信に応答した場合でも、発信元の利用者を画像で確認することができるようになる。
＜まとめ＞
以上、本発明に係る会議装置（１０）は、
他の通信装置から受信したコミュニケーションに関する情報を外部に接続された表示装置（１２０）に表示させる通信装置（１０）であって、
前記コミュニケーションを開始するための着信を検知する着信検知部（７０２）と、
前記表示装置（１２０）に前記コミュニケーションに関する情報を出力する画像出力部（７０３）と、
前記着信の検知に応じて、前記画像出力部（７０３）による画像の出力のための通信経路とは異なる通信のセッションを介して前記表示装置（１２０）の表示機能を制御する制御部（７０４）と、
を有し、
前記制御部によって前記表示装置の表示機能を制御することで前記コミュニケーションに関する情報を前記表示装置へ表示させる。
【０２２４】
これにより、他の通信装置から受信したコミュニケーションに関する情報を外部に接続された表示装置（１２０）に表示させる通信装置（１０）において、着信を受けた場合に、表示装置の表示機能が有効でない場合であっても発信元の情報を表示装置（１２０）に表示させることを容易にする通信装置（１０）を提供することができる。
【符号の説明】
【０２２５】
１          伝送システム（通信システム）
１０        会議装置（通信装置）
５０        伝送管理システム（管理システム）
１２０      表示装置
１２０ｃ    ケーブル
７０２      通信制御部（着信検知部）
７０３      画像出力部
７０４      遠隔制御部（制御部）
７１０      遠隔制御受信部（制御命令受信部）
７１１      画像入力部
７１４      制御命令実行部
【先行技術文献】
【特許文献】
【０２２６】
【特許文献１】特開２０１３−１７５０５９号公報
【特許文献２】特開２００６−３３３４８１号公報
【図１】
0006592981.tif 000002
【図２】
0006592981.tif 000003
【図３】
0006592981.tif 000004
【図４】
0006592981.tif 000005
【図５】
0006592981.tif 000006
【図６】
0006592981.tif 000007
【図７】
0006592981.tif 000008
【図８】
0006592981.tif 000009
【図９】
0006592981.tif 000010
【図１０】
0006592981.tif 000011
【図１１】
0006592981.tif 000012
【図１２】
0006592981.tif 000013
【図１３】
0006592981.tif 000014
【図１４】
0006592981.tif 000015
【図１５】
0006592981.tif 000016
【図１６】
0006592981.tif 000017
【図１７】
0006592981.tif 000018
【図１８】
0006592981.tif 000019
【図１９】
0006592981.tif 000020